(57)【要約】【課題】身体を洗いながら洗浄剤を身体の表面上で柔らかいクリーミーな泡に変化させることが可能な身体洗浄用ブラシを得る。【解決手段】身体洗浄用ブラシ１０は、平板状に形成された持ち手部１と、可撓性を有し、持ち手部１の表面１Ａ上で起立するように設けられた複数の軸部５とを備える。複数の軸部５の各々の先端部には、接着剤を介して静電植毛された複数の短繊維が設けられている。【選択図】図１
2018175494.tif 000002
【特許請求の範囲】
【請求項１】
平板状に形成された持ち手部と、
可撓性を有し、前記持ち手部の表面上で起立するように設けられた複数の軸部と、を備え、
複数の前記軸部の各々の先端部には、接着剤を介して静電植毛された複数の短繊維が設けられている、身体洗浄用ブラシ。
【請求項２】
複数の前記短繊維は、前記軸部の先端側から根元側に向かうにつれて徐々に密度が低くなるように設けられている、請求項１に記載の身体洗浄用ブラシ。
【請求項３】
前記軸部のうちの複数の前記短繊維が設けられている部分と前記軸部の根元部との間の部分には、研磨性を有する研磨部が設けられている、請求項１または２に記載の身体洗浄用ブラシ。
【請求項４】
前記接着剤には、研磨性を有する粒子が含まれている、請求項１から３のいずれか１項に記載の身体洗浄用ブラシ。
【請求項５】
平板状に形成された持ち手部と、可撓性を有し前記持ち手部の表面上で起立するように設けられた複数の起立部とを含む、母材を準備する工程と、
複数の前記起立部を液状の接着剤の中に浸漬させることで、複数の前記起立部の各々の先端部に前記接着剤を付着させる工程と、
複数の前記起立部の各々の前記先端部に前記接着剤を介して複数の短繊維を静電植毛する工程と、を備える、身体洗浄用ブラシの製造方法。
【発明の詳細な説明】
【技術分野】
【０００１】
本発明は、身体洗浄用ブラシおよびその製造方法に関する。
【背景技術】
【０００２】
下記の特許文献１（特開２０１２−２１７５４４号公報）には、基部と、この基部に多数立設された可撓性を有する毛部とを備えたブラシが開示されている。このブラシは、毛部のうちの根元部を除く先端部に、研磨性を有する研磨部が設けられている。下記の特許文献２（特開昭６３−３０５８０９号公報）には、剛毛支持体と、剛毛支持体に立設された剛毛とを備えた剛毛製品が開示されている。
【先行技術文献】
【特許文献】
【０００３】
【特許文献１】特開２０１２−２１７５４４号公報
【特許文献２】特開昭６３−３０５８０９号公報
【発明の概要】
【発明が解決しようとする課題】
【０００４】
近年、洗浄剤を収容している容器から手のひらの上に、洗浄剤を液状または泡状の状態で吐出させ、洗浄剤をそのまま素手で身体に塗り付けながら身体を洗浄する場合がある。このような場合、洗浄剤が身体の表面上で柔らかいクリーミーな泡に変化することはほとんどないため、細かい泡による洗浄作用を利用することはできず、毛穴や関節などの細部に至るまできれいに洗浄することは容易ではない。
【０００５】
上記の特許文献１に開示されたブラシは、足裏の硬い角質など、簡単には除去できないような汚れや異物を研磨作用によって除去するというものである。このブラシは、腕などの柔らかくデリケートな身体部分を洗浄することにはあまり向いていない。上記の特許文献２に開示された洗浄具は、剛毛という硬い部材によって服や歯などを洗浄するというものであり、身体の洗浄に利用できるとの記載は特許文献２にはない。
【０００６】
上記の特許文献１，２に開示された研磨剤付きのブラシや剛毛からなる剛毛製品を仮に身体の洗浄に用いたとしても、身体の表面上で柔らかいクリーミーな泡を発生させることは難しい。これらのブラシや剛毛製品では、細かい泡による洗浄作用を利用することはできず、毛穴や関節などの細部に至るまできれいに洗浄することは容易ではない。
【０００７】
本発明は、身体を洗いながら洗浄剤を身体の表面上で柔らかいクリーミーな泡に変化させることが可能な身体洗浄用ブラシおよびその製造方法を提供することを目的とする。
【課題を解決するための手段】
【０００８】
本発明に基づく身体洗浄用ブラシは、平板状に形成された持ち手部と、可撓性を有し、上記持ち手部の表面上で起立するように設けられた複数の軸部と、を備え、複数の上記軸部の各々の先端部には、接着剤を介して静電植毛された複数の短繊維が設けられている。
【０００９】
上記身体洗浄用ブラシにおいて、複数の上記短繊維は、上記軸部の先端側から根元側に向かうにつれて徐々に密度が低くなるように設けられていてもよい。
【００１０】
上記身体洗浄用ブラシにおいて、上記軸部のうちの複数の上記短繊維が設けられている部分と上記軸部の根元部との間の部分には、研磨性を有する研磨部が設けられていてもよい。
【００１１】
上記身体洗浄用ブラシにおいて、上記接着剤には、研磨性を有する粒子が含まれていてもよい。
【００１２】
本発明に基づく身体洗浄用ブラシの製造方法は、平板状に形成された持ち手部と、可撓性を有し上記持ち手部の表面上で起立するように設けられた複数の起立部とを含む、母材を準備する工程と、複数の上記起立部を液状の接着剤の中に浸漬させることで、複数の上記起立部の各々の先端部に上記接着剤を付着させる工程と、複数の上記起立部の各々の上記先端部に上記接着剤を介して複数の短繊維を静電植毛する工程と、を備える。
【発明の効果】
【００１３】
上記の身体洗浄用ブラシによれば、可撓性を有する軸部の先端部に、静電植毛によって複数の短繊維が設けられており、身体を洗う際に複数の短繊維が洗浄剤を身体の表面上で柔らかいクリーミーな泡に変化させることができ、細かい泡による洗浄作用を利用するとで、毛穴や関節などの細部に至るまできれいに洗浄することが可能となる。
【図面の簡単な説明】
【００１４】
【図１】実施の形態１における身体洗浄用ブラシ１０を示す平面図である。
【図２】実施の形態１における身体洗浄用ブラシ１０を示す側面図であり、図１中の矢印ＩＩの方向から見た身体洗浄用ブラシ１０の側面形状を表している。
【図３】図１中のＩＩＩ−ＩＩＩ線に沿った矢視断面図である。
【図４】実施の形態１における身体洗浄用ブラシ１０を示す底面図である。
【図５】図４中のＶ−Ｖ線に沿った矢視断面図である。
【図６】実施の形態１における身体洗浄用ブラシ１０とともに利用可能な補助具２０を示す斜視図である。
【図７】実施の形態１における身体洗浄用ブラシ１０に設けられた軸部５を模式的に示す断面図である。
【図８】実施の形態１における身体洗浄用ブラシ１０の製造方法を説明するための断面図である。
【図９】実施の形態２における身体洗浄用ブラシに備えられる軸部５Ａを模式的に示す断面図である。
【図１０】実施の形態２における身体洗浄用ブラシの製造方法を説明するための第１断面図である。
【図１１】実施の形態２における身体洗浄用ブラシの製造方法を説明するための第２断面図である。
【発明を実施するための形態】
【００１５】
実施の形態について、以下、図面を参照しながら説明する。同一の部品および相当部品には同一の参照番号を付し、重複する説明は繰り返さない場合がある。
【００１６】
［実施の形態１］
（身体洗浄用ブラシ１０）
図１〜図７を参照して、実施の形態１における身体洗浄用ブラシ１０について説明する。図１は、身体洗浄用ブラシ１０を示す平面図である。図２は、身体洗浄用ブラシ１０を示す側面図であり、図１中の矢印ＩＩの方向から見た身体洗浄用ブラシ１０の側面形状を表している。図３は、図１中のＩＩＩ−ＩＩＩ線に沿った矢視断面図である。図４は、身体洗浄用ブラシ１０を示す底面図である。図５は、図４中のＶ−Ｖ線に沿った矢視断面図である。
【００１７】
身体洗浄用ブラシ１０は、人の身体を洗浄するために用いられる。使用者はたとえば、洗浄剤を収容している容器から洗浄剤を身体洗浄用ブラシ１０の上（複数の軸部５）に垂らし、複数の軸部５を身体に接触させながら移動させることで、身体の表面上に付着している汚れなどを除去する。
【００１８】
図１〜図５に示すように、具体的には、身体洗浄用ブラシ１０は、持ち手部１、リブ部２、複数の吸盤３、つまみ部４、および複数の軸部５を備えている。持ち手部１は、表面１Ａおよび裏面１Ｂを有し、全体として平板状に形成されている。持ち手部１は、略楕円形状（いわゆる長円形）の外形形状を有している。
【００１９】
リブ部２は、環状の形状を有し、持ち手部１の周囲を取り囲むように形成されている。本実施の形態のリブ部２は、内端部が表面１Ａ側に突出し、外端部が裏面１Ｂ側に突出するように構成されている。複数の吸盤３は、持ち手部１の裏面１Ｂ上に設けられている。持ち手部１の中央には、開口部１Ｈが形成されている。開口部１Ｈは、持ち手部１の表面１Ａ側から裏面１Ｂ側に貫通するように形成されている。
【００２０】
つまみ部４は、Ｕ字状の形状を有しており、開口部１Ｈに跨るように、持ち手部１の裏面１Ｂ側に設けられている。つまみ部４を利用することで、身体洗浄用ブラシ１０に多量の泡が付着していたとしても、使用者が身体洗浄用ブラシ１０を落としてしまうことを抑制できる。複数の軸部５は、可撓性を有しており、持ち手部１の表面１Ａ上で起立するように設けられている。
【００２１】
図６を参照して、使用者は、身体を洗浄する際には補助具２０を利用してもよい。補助具２０は、把持部２１および基台部２２を有している。補助具２０の厚みはたとえば２０ｍｍである。使用者は、身体洗浄用ブラシ１０に設けられた複数の吸盤３を利用して、身体洗浄用ブラシ１０を補助具２０の基台部２２に貼り付けることができる。
【００２２】
身体洗浄用ブラシ１０を補助具２０に貼り付けた状態で利用することにより、使用者は背中などを容易に洗うことが可能となる。使用者は、複数の吸盤３を利用して身体洗浄用ブラシ１０を壁面等に吸着固定させた状態で保管してもよい。補助具２０はたとえば、ブロー成型によって中空に形成してもよい。
【００２３】
（複数の軸部５）
図７は、身体洗浄用ブラシ１０に設けられた軸部５を模式的に示す断面図である。複数の軸部５の各々は、略同一の構成を有しているため、ここでは図７に示す１つの軸部５に基づいてその説明を行なう。
【００２４】
軸部５は、持ち手部１の表面１Ａから起立する起立部６と、起立部６の外表面に接着剤８Ａを介して設けられた複数の短繊維７（パイルともいう）とを備えている。起立部６は、先端部６Ａから根元部６Ｂに向けて直線状に延びる棒形状を有しており、その長手方向の根元部６Ｂが持ち手部１に固定されてこの持ち手部１に対して立設されている。起立部６は、根元部６Ｂ側から先端部６Ａ側に向けて徐々に細径となる先細り形状（テーパー状で平面視略円形状、つまり円錐形状）を有している。
【００２５】
起立部６は、樹脂成形によって持ち手部１と一体的に形成されている。持ち手部１と起立部６とは、たとえば可撓性（或いは弾力性）を有する素材であって、合成樹脂からなる樹脂成形体（たとえば、ポリ塩化ビニル樹脂、塩化ビニル樹脂、スチレン系エラストマー樹脂）から一体的に成形される。
【００２６】
起立部６の大きさおよび形状についてはたとえば、長さが２０ｍｍであり、樹脂硬度が３０度〜４０度（ＪＩＳ−Ｋ６２５３のデュロメータータイプＡ（ショアＡ）硬度）であり、根元部６Ｂ側の直径が２．８ｍｍであり、先端部６Ａ側の直径が１．７ｍｍである。起立部６は、持ち手部１の表面１Ａの全面に亘って互いに離間して複数立設されており、隣り合う起立部６同士の離間間隔はたとえば６ｍｍである。
【００２７】
複数の短繊維７は、静電植毛（フロッキー加工）によって、接着剤８Ａを介して起立部６の表面上に設けられている。軸部５のうちの複数の短繊維７が設けられている部分の高さは、軸部５の全体の高さに対してたとえば２／３程度である。短繊維７の大きさおよび材質については、たとえばナイロン製であり、太さは１０μｍ〜５０μｍ程度であり、長さは１．０ｍｍ〜３．０ｍｍ程度である。図７に示すように、本実施の形態における複数の短繊維７は、軸部５の先端側（先端部６Ａの側）から根元側（根元部６Ｂの側）に向かうにつれて、徐々に密度が低くなるように設けられている。
【００２８】
（接着剤８Ａ）
本実施の形態の接着剤８Ａには、研磨性を有する粒子が含まれている。研磨粒子としては、たとえば、炭化ケイ素、トルマリン、アルミナ、ガラスのいずれか一つ或いは複数を利用することができる。研磨粒子の粒径は、たとえば１μｍ〜１００μｍである。接着剤８Ａは、軸部５のうちの複数の短繊維７が設けられている部分だけでなく、軸部５のうちの当該部分よりも根元部６Ｂ側に位置する部分の表面上にも設けられている。
【００２９】
上記構成により、軸部５のうちの複数の短繊維７が設けられている部分と、軸部５の根元部（根元部６Ｂ）との間の部分には、研磨性を有する研磨部６Ｃが設けられている。研磨部６Ｃにおいては、その表面に短繊維７が設けられておらず、研磨粒子を含む接着剤８Ａが露出している。
【００３０】
（作用および効果）
冒頭で述べたように、従来は、身体の表面上で柔らかいクリーミーな泡を大量かつ容易に発生させることが可能な身体洗浄用ブラシは知られていなかった。
【００３１】
これに対して本実施の形態における身体洗浄用ブラシ１０は、軸部５の先端部に設けられた複数の短繊維７が、適度な量の水分と、適度な量の洗浄剤とを保持することができる。使用者が身体洗浄用ブラシ１０を身体の表面に接触させながら移動させる際、複数の短繊維７の間において、水分および洗浄剤が空気と交わり合うことによって、洗えば洗うほど泡が発生し、少量の洗浄剤からであっても身体の表面上で柔らかいクリーミーな泡を大量かつ容易に発生させることができる。したがって使用者は、軸部５の先端部に設けられた複数の短繊維７と、クリーミーで大量に発生した泡とを利用して、毛穴や関節などの細部に至るまで、ソフトで産毛のような感触できれいに洗浄することができる。
【００３２】
また本実施の形態においては、軸部５が柔軟で適度な弾力性（可撓性）を有している。使用者が身体洗浄用ブラシ１０を身体の表面に接触させながら移動させる際に、軸部５およびその先端部に設けられた複数の短繊維７は、使用者の身体の表面形状に倣うように容易に変形することができ、使用者は、このような身体洗浄用ブラシ１０および発生した大量でクリーミーな泡を利用して、毛穴や関節などの細部に至るまできれいに洗浄することができる。
【００３３】
本実施の形態の身体洗浄用ブラシ１０においては、複数の短繊維７が、軸部５の先端側から根元側に向かうにつれて徐々に密度が低くなるように設けられている。当該構成は必須ではないが、たとえば、軸部５の先端側において密に設けられた複数の短繊維７は洗浄機能を主として担うことができ、軸部５の根元側において粗く設けられた複数の短繊維７は、相互間の隙間を利用して泡の生成機能を主として担うことができる。このような身体洗浄用ブラシ１０によれば、泡立ちもよく、高い洗浄効果を発揮することが可能となる。
【００３４】
本実施の形態の身体洗浄用ブラシ１０においては、軸部５のうちの複数の短繊維７が設けられている部分と軸部５の根元部（根元部６Ｂ）との間の部分に、研磨性を有する研磨部６Ｃが設けられている。当該構成は必須ではないが、たとえば、身体の腕など、柔らかいデリケートな部分を洗浄する際には、使用者は身体洗浄用ブラシ１０を小さな押圧力で身体に柔らかく接触させる。これにより、複数の短繊維７およびクリーミーな泡を利用した、身体に対して柔らかい洗浄を実現することが可能となる。
【００３５】
一方で、角質の溜まりやすいかかとやくるぶしなどを身体洗浄用ブラシ１０を用いて洗浄する際には、使用者は身体洗浄用ブラシ１０を比較的大きな押圧力で身体に接触させる。押圧力を受けた軸部５は根元部６Ｂを起点として弓なり状に弾性変形し、これにより、軸部５の先端部６Ａ側の部分だけでなく、根元側に形成されている研磨部６Ｃがかかとなどに接触する。研磨部６Ｃの研磨作用を利用することで、使用者は足裏の硬い角質など、簡単には除去できないような汚れや異物を容易に除去することが可能となる。すなわち、力加減によって身体洗浄用ブラシ１０は二種類の洗浄効果を奏することができるという点で、極めて高い利便性を発揮することができる。
【００３６】
研磨部６Ｃのみならず、接着剤８Ａのうち、複数の短繊維７を起立部６に付着させている部分についても、場合によっては研磨作用を発揮することが可能である。すなわち、接着剤８Ａに研磨性を有する粒子が含まれている場合には、複数の短繊維７の根元にも研磨剤が存在することとなる。使用者が身体洗浄用ブラシ１０を大きな押圧力で身体に接触させた際に、接着剤８Ａのうちの複数の短繊維７を起立部６に付着させている部分（研磨剤）が複数の短繊維７の間の隙間を通じて身体に接触することもある。研磨部６Ｃのみならず、複数の短繊維７の間の隙間を通じて身体に接触した接着剤８Ａの研磨作用によっても、使用者は足裏の硬い角質など、簡単には除去できないような汚れや異物を除去することが可能となる。
【００３７】
複数の短繊維７が、軸部５の先端側から根元側に向かうにつれて徐々に密度が低くなるように設けられており、かつ、接着剤８Ａに研磨性を有する粒子が含まれている場合には、接着剤８Ａの露出度合いも軸部５の先端側から根元側に向かうにつれて徐々に大きくなる。したがって軸部５が有する研磨作用も、軸部５の先端側から根元側に向かうにつれて徐々に大きくなるため、力加減によって身体洗浄用ブラシ１０の研磨作用を徐々に大きくすることが可能となり、より高い利便性を発揮することが可能となる。
【００３８】
上述のとおり、本実施の形態のリブ部２は、環状（長円形）の形状を有し、持ち手部１の周囲を取り囲むように形成されている。持ち手部１の外周側の部分においては、リブ部２が有する剛性により、使用者が身体洗浄用ブラシ１０を容易に把持することを可能としている。したがって使用者が身体洗浄用ブラシ１０を身体の表面に接触させながら移動させる際に、使用者はリブ部２の剛性によって身体洗浄用ブラシ１０を容易に把持することができる。身体洗浄用ブラシ１０は極めて把持しやすいという構成を有しているため、使用者は、身体洗浄用ブラシ１０を身体に接触させるための押圧力も容易にコントロールすることができる。
【００３９】
その一方で、身体洗浄用ブラシ１０は、持ち手部１の中央側の部分（リブ部２から離れた部分）においては持ち手部１が有する柔軟性による十分な可撓性を発揮することができる。使用者が身体洗浄用ブラシ１０を身体の表面に接触させながら移動させる際に、持ち手部１は使用者の身体の表面形状に倣うように容易に変形することができ、ひいては持ち手部１の表面１Ａに設けられた複数の軸部５も、自身の可撓性を利用しながら使用者の身体の表面形状に倣うように移動することができる。複数の軸部５を適度な接触圧で身体に接触させることが可能となり、使用者は、軸部５の先端部に設けられた複数の短繊維７を利用して、毛穴や関節などの細部に至るまできれいに洗浄することが可能となる。
【００４０】
（製造方法）
以上のような構成を有する身体洗浄用ブラシ１０を製造するためには、たとえば、インジェクション成形（射出成型）を利用する。所定の金型に、注入口を介して溶融樹脂（合成樹脂）を注入して充填する。
【００４１】
図８を参照して、溶融樹脂が硬化することによって、持ち手部１および複数の起立部６などを含む母材が準備される。その後、この母材を、複数の起立部６側が下向きとなるように、ウレタン系やアクリル系の液状の接着剤（接着剤８Ａ）の中に浸漬させる。複数の起立部６の各々の先端部６Ａに、接着剤を付着させる（図８に示す状態が得られる）。
【００４２】
接着剤が乾燥する前に、複数の短繊維７および上記の母材に電圧をかける（電位差を設ける）ことで、静電植毛（フロッキー加工）によって接着剤８Ａを介して複数の短繊維７を起立部６の先端部６Ａに付着させる。接着剤８Ａには、必要に応じて上記の研磨粒子が含まれているとよい。また商品の仕様などに応じて、研磨部６Ｃを軸部５に設けることとするとよい。以上のような製造方法によれば、接着剤をスプレー吹付方式により供給していないため、マスキング工程も不要であり、高い生産性が得られる。
【００４３】
［実施の形態２］
図９は、実施の形態２における身体洗浄用ブラシに備えられる軸部５Ａを模式的に示す断面図である。軸部５Ａにおいては、起立部６の先端部６Ａを覆うように接着剤８Ａが設けられており、さらに、接着剤８Ａの先端側の部分を覆うように接着剤８Ｂが設けられている。接着剤８Ａとしては、上述の実施の形態１の場合と同様に、研磨性を有する粒子が含まれているものが用いられるとよい。研磨部６Ｃは、接着剤８Ａから形成することが可能である。
【００４４】
接着剤８Ｂとしては、接着剤８Ａと同様に、研磨性を有する粒子が含まれているものが用いられてもよいし、含まれていないものが用いられてもよい。このように構成された軸部５Ａであっても、上述の実施の形態１における軸部５を備えた身体洗浄用ブラシ１０と同様の作用および効果を得ることができる。
【００４５】
（製造方法）
図１０を参照して、軸部５Ａを備えた身体洗浄用ブラシを製造するためには、持ち手部１および複数の起立部６などを含む母材がまず準備される。その後、この母材を、複数の起立部６側が下向きとなるように、ウレタン系やアクリル系の液状の接着剤（接着剤８Ａ）の中に浸漬させる。複数の起立部６の各々の先端部６Ａに、接着剤を付着させる（図１０に示す状態が得られる）。この状態で、接着剤８Ａを乾燥させる。
【００４６】
図１１に示すように、その後ふたたび、複数の起立部６（接着剤８Ａの先端）側が下向きとなるように、ウレタン系やアクリル系の液状の接着剤（接着剤８Ｂ）の中に浸漬させる。複数の起立部６の各々の先端側（接着剤８Ａの表面）に、接着剤を付着させる（図１１に示す状態が得られる）。
【００４７】
接着剤（接着剤８Ｂ）が乾燥する前に、複数の短繊維７および上記の母材に電圧をかける（電位差を設ける）ことで、静電植毛（フロッキー加工）によって接着剤８Ｂを介して複数の短繊維７を起立部６の先端部６Ａ（接着剤８Ａの表面）に付着させる。接着剤８Ｂには、必要に応じて上記の研磨粒子が含まれているとよい。また商品の仕様などに応じて、研磨部６Ｃを軸部５に設けることとするとよい。以上のような製造方法によっても、接着剤をスプレー吹付方式により供給していないため、マスキング工程も不要であり、高い生産性が得られる。
【００４８】
以上、実施の形態および実施例について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００４９】
１  手部、１Ａ  表面、１Ｂ  裏面、１Ｈ  開口部、２  リブ部、３  吸盤、４  つまみ部、５，５Ａ  軸部、６  起立部、６Ａ  先端部、６Ｂ  根元部、６Ｃ  研磨部、７  短繊維、８Ａ，８Ｂ  接着剤、１０  身体洗浄用ブラシ、２０  補助具、２１  把持部、２２  基台部。
【図１】
2018175494.tif 000003
【図２】
2018175494.tif 000004
【図３】
2018175494.tif 000005
【図４】
2018175494.tif 000006
【図５】
2018175494.tif 000007
【図６】
2018175494.tif 000008
【図７】
2018175494.tif 000009
【図８】
2018175494.tif 000010
【図９】
2018175494.tif 000011
【図１０】
2018175494.tif 000012
【図１１】
2018175494.tif 000013